(57)【要約】【課題】低床部において断熱性能に分布がなく、製作手間のかかる開口を具備しない断熱材フォームが施工手間をかけることなく設置されることにより形成される、建物の低床部構造を提供すること。【解決手段】一般床部１００と、一般床部１００よりも低い位置にある低床部２００と、低床部２００の周囲にあって低床部２００と一般床部１００を繋ぐ低壁部３００と、を同一階に有する建物における、建物の低床部構造５００であって、低床部構造５００は、床材１０と、床材１０を支持して基盤Ｋの上に立設される床束材２０とを有し、床束材２０は、基盤Ｋに載置されるベース２１と、ベース２１から上方に突設する軸材２２と、軸材２２に固定されて床材１０を支持する支持プレート２４とを有し、ベース２１と支持プレート２４の間でかつ軸材２２の側方に断熱材フォーム４０が配設され、軸材２２と断熱材フォーム４０の間に隙間がない。【選択図】図８
2020051097.tif 000002
【特許請求の範囲】
【請求項１】
一般床部と、該一般床部よりも低い位置にある低床部と、該低床部の周囲にあって該低床部と該一般床部を繋ぐ低壁部と、を同一階に有する建物における、建物の低床部構造であって、
前記低床部構造は、床材と、床材を支持して基盤の上に立設される床束材と、を有し、
前記床束材は、前記基盤に載置されるベースと、該ベースから上方に突設する軸材と、該軸材に固定されて前記床材を支持する支持プレートと、を有し、
前記ベースと前記支持プレートの間で、かつ前記軸材の側方に断熱材フォームが配設されており、
前記軸材と前記断熱材フォームの間に隙間が無いことを特徴とする、建物の低床部構造。
【請求項２】
前記断熱材フォームに前記軸材が貫通していることを特徴とする、請求項１に記載の建物の低床部構造。
【請求項３】
複数の隣接する前記断熱材フォームの間に前記軸材が配設されていることを特徴とする、請求項１に記載の建物の低床部構造。
【請求項４】
前記床束材が鋼製束材であり、
前記軸材が直線状を呈し、該軸材と前記支持プレートが螺合して該支持プレートの高さが調整自在であることを特徴とする、請求項１乃至３のいずれか一項に記載の建物の低床部構造。
【発明の詳細な説明】
【技術分野】
【０００１】
本発明は、建物の低床部構造に関する。
【背景技術】
【０００２】
図１に示すように、住宅の例えば一階のリビングのある居室を高さの異なる一般床部と低床部とから構成し、底床部をリビングとして使用し、一般床部をダイニングや台所として使用する形態の住宅がある。高さの異なる低床部と一般床部とは、２０ｃｍ乃至５０ｃｍ程度の高さの低壁部により繋がれる。リビングが一般床部よりも低い低床部に存在することから、リビングにおける天井までの高さが自ずと高くなり、開放感のあるリビングが形成される。さらに、リビングの周囲が低壁部により包囲されていることから、リビング空間が周囲に包み込まれるように癒された心地良さが得られる。尚、このように同一階に低床部と一般床部を備えた住宅構造が提案されている（例えば、特許文献１参照）。
【先行技術文献】
【特許文献】
【０００３】
【特許文献１】特開２０１４−１９００２９号公報
【発明の概要】
【発明が解決しようとする課題】
【０００４】
上記する低床部では、図２に示すように、土間コンクリート等の基盤の上にプラスチック製の床束材（所謂、プラ束と言い、以下、プラ束と称する）が例えば格子状に配設され、プラ束が挿通される開口を備えた断熱材フォームがプラ束と干渉しないようにして敷設される。図３に明りょうに示すように、プラ束は末広がりのプラスチック製の本体を有し、その天端には例えば平面視正方形の木製の大引受けが取り付けられている。
【０００５】
このように平面視正方形の大引受けを天端に備えたプラ束が挿通されるように、断熱材フォームに設けられる開口も、この大引受けの平面視形状と相補的な形状でかつ同寸法を有している。尚、対応する開口にプラ束を挿通させながら基盤上に断熱材フォームが敷設された後、基盤とともに断熱材フォームを上下で挟むようにして大引受けの上に床下地材が載置され、床下地材の上に捨貼が載置され、捨貼の上にフロア仕上げ材が載置される等により従来の低床部構造が形成される。
【０００６】
この低床部構造においては、図２に示すように、プラ束とその周囲の断熱材フォームの間に一般に隙間が形成される。そのため、隙間のある領域と隙間の無い断熱材フォームの存在する領域との間で断熱性能が異なり、低床部において断熱性能に分布が生じるといった課題が生じている。さらに、断熱材フォームの各所にプラ束を挿通するための開口を形成することから、この開口の形成のための加工手間がかかり、この加工手間が施工費用の増加に繋がり得るといった課題も生じている。さらに、断熱材フォームに開設されている開口にプラ束を挿通させながら断熱材フォームを敷設する施工にも手間がかかるとともに、開口の存在しない場所にはプラ束を配設できないことから、プラ束の位置や数を臨機に変更できないといった制約がある。
【０００７】
本発明は上記する問題に鑑みてなされたものであり、低床部において断熱性能に分布がなく、製作手間のかかる開口を具備しない断熱材フォームが施工手間をかけることなく設置されることにより形成される、建物の低床部構造を提供することを目的としている。
【課題を解決するための手段】
【０００８】
前記目的を達成すべく、本発明による建物の低床部構造の一態様は、
一般床部と、該一般床部よりも低い位置にある低床部と、該低床部の周囲にあって該低床部と該一般床部を繋ぐ低壁部と、を同一階に有する建物における、建物の低床部構造であって、
前記低床部構造は、床材と、床材を支持して基盤の上に立設される床束材と、を有し、
前記床束材は、前記基盤に載置されるベースと、該ベースから上方に突設する軸材と、該軸材に固定されて前記床材を支持する支持プレートと、を有し、
前記ベースと前記支持プレートの間で、かつ前記軸材の側方に断熱材フォームが配設されており、
前記軸材と前記断熱材フォームの間に隙間が無いことを特徴とする。
【０００９】
本態様によれば、基盤と床材の間に配設される断熱材フォームが、床束材を構成するベースと支持プレートの間で、かつ軸材の側方に配設され、軸材と断熱材フォームとの間に隙間が無いことにより、断熱性能に分布がなく、全体的に均質な断熱性能を有する建物の低床部構造を提供することができる。ここで、適用される断熱材フォームは、加工手間のかかる床束材を挿通させるための開口を有していない。また、低床部と一般床部を繋ぐ「低壁部」は、例えば障子戸等を備えた外壁等の一般の壁よりも高さが低く、かつ低い位置にある壁を指称している。
【００１０】
また、本発明による建物の低床部構造の他の態様は、前記断熱材フォームに前記軸材が貫通していることを特徴とする。
【００１１】
本態様によれば、断熱材フォームに対して床束材を構成する軸材が貫通していることにより、断熱材フォームと軸材との間に隙間の無い状態で双方が密着することとなり、全体的に均質な断熱性能を有する低床部構造を形成することができる。ここで、「貫通している」とは、文字通り、定型の断熱材フォームに対して軸材を貫通させることを意味している。例えば、全ての床束材から支持プレートを取り外した状態でベースを土間コン等の基盤に固定し、各床束材の軸材の上から断熱材フォームを落とし込むことにより、各軸材が断熱材フォームに刺さり、断熱材フォームを貫通して土間コン上に断熱材フォームが敷設される。このように断熱材フォームが敷設された状態において、軸材の頭部が断熱材フォームの上面よりも上方に突出するように断熱材の厚みと軸材の高さを調整しておく。断熱材フォームの上面から突出している各床束材の軸材の頭部に対して、断熱材フォームを挟むようにして支持プレートを取り付けることにより、複数の床束材との間に隙間の無い状態で、複数の断熱材フォームが敷設されてなる低床部構造を形成できる。
【００１２】
また、断熱材フォームに対して床束材を構成する軸材を貫通させることから、床束材の数や設置位置を自在に変更することが可能となり、手間のかかる開口の加工は一切不要となる。
【００１３】
また、本発明による建物の低床部構造の他の態様は、複数の隣接する前記断熱材フォームの間に前記軸材が配設されていることを特徴とする。
【００１４】
本態様によれば、例えば所定寸法の断熱材フォームを並べて敷設する場合において、隣接する断熱材フォームの端面の間に床束材（を構成する軸材）を配設することにより、断熱材フォームと軸材との間に隙間の無い状態で双方が密着することとなり、全体的に均質な断熱性能を有する低床部構造を形成することができる。例えば、平面視が正方形もしくは矩形で同寸法の断熱材フォームを敷設する場合、隣接する格子状の端辺ラインが予め特定できることから、この格子状の端辺ライン上に床束材を設置することにより、その後に各床束材を挟むようにして各断熱材フォームを敷設することができる。
【００１５】
本態様においても、全ての床束材から支持プレートを取り外した状態でベースを土間コン等の基盤に固定し、各床束材の軸材を挟むようにして複数の断熱材フォームを敷き並べていく。このように断熱材フォームが敷設された状態において、断熱材フォームの上面から突出している各床束材の軸材の頭部に対して、断熱材フォームを挟むようにして支持プレートを取り付けることにより、複数の床束材との間に隙間の無い状態で、複数の断熱材フォームが敷設されてなる低床部構造を形成できる。
【００１６】
また、本発明による建物の低床部構造の他の態様は、前記床束材が鋼製束材であり、
前記軸材が直線状を呈し、該軸材と前記支持プレートが螺合して該支持プレートの高さが調整自在であることを特徴とする。
【００１７】
本態様によれば、プラ束に比べて高剛性の鋼製束材を適用することにより、束材の数を低減することができる。また、軸材が直線状であることから、断熱材フォームに貫通させ易く、隣り合う断熱材フォームの界面において隙間の無い状態を形成し易い。さらに、軸材と支持プレートが螺合して支持プレートの高さが調整自在であることにより、様々な厚みの断熱材フォームに対応することができ、断熱材フォームとの間に隙間の無い状態で支持プレートを設置することができる。
【発明の効果】
【００１８】
以上の説明から理解できるように、本発明の建物の低床部構造によれば、低床部において断熱性能に分布がなく、製作手間のかかる開口を具備しない断熱材フォームを施工手間をかけることなく設置することにより形成できる。
【図面の簡単な説明】
【００１９】
【図１】高さの異なる一般床部と低床部とを有する一階の居室を示す模式図である。
【図２】低床部において、格子状に配設された複数のプラ束が複数の断熱材フォームの開口に挿通されて断熱材フォームが敷設されている状態を説明する模式図である。
【図３】断熱材フォームの開口にプラ束が挿通されている状態を拡大して示す図である。
【図４】実施形態に係る低床部構造を形成する床束材の一例の斜視図である。
【図５】実施形態に係る低床部構造を形成する、床束材と断熱材フォームの構成の一例を示す模式図である。
【図６】断熱材フォームに鋼製束材が貫通されている状態を拡大して示す図である。
【図７】実施形態に係る低床部構造を形成する、床束材と断熱材フォームの構成の他の例を示す模式図である。
【図８】実施形態に係る低床部構造の一例を一般床部構造の一例とともに示す縦断面図である。
【発明を実施するための形態】
【００２０】
以下、本発明の実施形態に係る低床部構造について添付の図面を参照しながら説明する。尚、本明細書及び図面において、実質的に同一の構成要素については、同一の符号を付することにより重複した説明を省く場合がある。
【００２１】
［実施形態に係る低床部構造］
図１、図４乃至図８を参照して、実施形態に係る低床部構造について説明する。ここで、図４は、実施形態に係る低床部構造を形成する床束材の一例の斜視図であり、図５は、実施形態に係る低床部構造を形成する、床束材と断熱材フォームの構成の一例を示す模式図である。また、図６は、断熱材フォームに鋼製束材が貫通されている状態を拡大して示す図である。
【００２２】
実施形態に係る低床部構造は、図１に示すように、高さの異なる一般床部と低床部とから構成される住宅の一階の居室における、低床部の構造である。底床部はリビングとして使用され、一般床部はダイニングや台所として使用される。低床部と一般床部は、２０ｃｍ乃至５０ｃｍ程度の高さの低壁部により繋がれている。図１では、低床部の一端にソファが設置されている。図１からも明らかなように、一般床部に比べて低床部は２０ｃｍ乃至５０ｃｍ程度高さが低くなることから、天井までの高さはその分だけ高くなり、開放感のあるリビングが形成される。
【００２３】
図４に示すように、低床部を構成する床束材２０は鋼製束材であり、基盤に載置されるベース２１と、ベース２１から上方に突設する軸材２２と、軸材２２に固定されて床材（図示せず）を支持する支持プレート２４とを有する。基盤は一般に土間コン等により形成され、平面視方形のベース２１の各隅角部近傍に開設されているピン孔２１ａを介してコンクリートピン等の固定手段が打ち込まれてベース２１が基盤に固定される。
【００２４】
軸材２２は細長の円柱状を呈し、少なくとも上方には螺子切り２３が設けられており、この螺子切り２３に螺合して高さ調整自在な支持プレート２４がＹ方向に昇降し、所望の位置において固定ナット２５が締め付けられて支持プレート２４の位置決めがなされるようになっている。
【００２５】
図５に示す床束材２０と断熱材フォーム４０の構成の一例は、予め基盤Ｋに固定されている床束材２０のうち、支持プレート２４が取り外されていて軸材２２が上方に突出している床束材２０に対して、断熱材フォーム４０を上方からＸ１方向に落とし込み、断熱材フォーム４０に各軸材２２を貫通させて断熱材フォーム４０を敷設する方法により形成される。図示例の構成では、各断熱材フォーム４０に対して四本の床束材２０が貫通されている。ここで、断熱材フォーム４０は、例えば押出法によるポリスチレンフォームなどを適用することができる。
【００２６】
断熱材フォーム４０に各軸材２２を貫通させることにより、軸材２２の頭部が断熱材フォーム４０の上面よりも上方に突出する。断熱材フォーム４０の上面から突出している各軸材２２の頭部に対して、断熱材フォーム４０を挟むようにして支持プレート２４をＸ２方向に取り付ける（螺合させる）。このように軸材２２の頭部に支持プレート２４を取り付けることにより、図６に示すように、軸材２２と断熱材フォーム４０との間に隙間の無い状態で、断熱材フォーム４０をベース２１と支持プレート２４とで挟持した構造を形成できる。従って、図３に示す従来の構造のように、断熱材フォームの有する開口とプラ束との間に隙間が設けられていることに起因して、隙間のある領域と隙間の無い断熱材フォームの存在する領域との間で断熱性能が異なり、低床部において断熱性能に分布が生じるといった課題は生じない。
【００２７】
また、図５と図２を比較すると明らかなように、実施形態に係る低床部構造を形成する断熱材フォーム４０は図２に示す断熱材フォームのように開口を備えていないことから（備える必要がないことから）、この開口の形成に加工手間がかかり、この加工手間が施工費用の増加に繋がるといった課題も生じない。
【００２８】
また、図２に示す従来例では、断熱材フォームに開設されている開口にプラ束を挿通させながら断熱材フォームを敷設する施工にも手間がかかるとともに、開口の存在しない場所にはプラ束を配設できないことから、プラ束の位置や数を臨機に変更できないといった制約がある。しかしながら、図５からも明らかなように、断熱材フォーム４０に対して床束材２０を構成する軸材２２を貫通させることから、断熱材フォーム４０の敷設は極めて容易であり、床束材２０の数や設置位置は自在に変更することが可能になる。
【００２９】
さらに、プラ束に比べて高剛性の鋼製束材２０を適用することにより、束材の数を低減することができる。また、図２及び図３に示す末広がり状の本体を有するプラ束と異なり、鋼製束材２０の軸材２２が直線状であることから、断熱材フォーム４０に貫通させ易い。さらに、軸材２２と支持プレート２４が螺合して支持プレート２４の高さが調整自在であることにより、様々な厚みの断熱材フォーム４０に対応することができ、断熱材フォーム４０との間に隙間の無い状態で支持プレート２４を設置することが可能になる。
【００３０】
一方、図７には、実施形態に係る低床部構造を形成する、床束材と断熱材フォームの構成の他の例を示している。図示例は、複数の隣接する断熱材フォーム４０の間に、床束材２０の軸材２２が配設されている（介在している）形態である。図示例の断熱材フォーム４０はいずれも、平面視正方形で同寸法のものが使用される。従って、各断熱材フォーム４０を隣接するようにして敷設した際に、格子状の端辺ラインが予め特定される。そこで、この格子状の端辺ライン上に床束材２０を設置しておき、各床束材２０の軸材２２を挟むようにして各断熱材フォーム４０を敷設していく。そして、断熱材フォーム４０の敷設後、図７に示すように、断熱材フォーム４０の上面から上方に突出している軸材２２の頭部に対して支持プレート２４を取り付けることにより、床束材２０を構成する。
【００３１】
図７に示す形態においても、複数の床束材２０との間に隙間の無い状態で、複数の断熱材フォーム４０が敷設される。また、床束材２０を挟むようにして各断熱材フォーム４０を敷設することから、極めて良好な施工性が享受できる。
【００３２】
次に、図８を参照して、図５もしくは図７に示す床束材２０と断熱材フォーム４０の構成を含む、低床部構造の一例を示す。ここで、図８は、実施形態に係る低床部構造の一例を一般床部構造の一例とともに示す縦断面図である。
【００３３】
図８には、図１に示す一般床部と低床部の各構造を連続的に示しており、一般床部１００と、一般床部１００よりも低い位置にある低床部２００と、低床部２００の周囲にあって低床部２００と一般床部１００を繋ぐ低壁部３００とがあり、土間コン等の基盤Ｋの上に各部が形成されている。
【００３４】
一般床部１００は、コンクリートピン等の固定手段７０により脚部が基盤Ｋに固定されている長尺の鋼製束材３０にて大引き８０が支持され、大引き８０に床材１０が支持されることにより形成されている。床材１０は、下方から順に、床下地材１１、捨貼１２、及びフロア仕上げ材１３が積層され、相互に接着等によって固定されることによりその全体が形成される。
【００３５】
大引き８０の周囲であって床材１０の下方位置には、断熱材フォーム６０が配設されている。尚、ここに配設される断熱材は、断熱材フォームの他に、グラスウールやロックウール等が充填されてなる充填断熱材であってもよい。
【００３６】
一般床部１００は、低床部２００よりも２０ｃｍ乃至５０ｃｍ程度高い位置にあり、断熱材フォーム６０の下方には空気層Ｇが形成されており、この空気層Ｇが一般床部の保温層の機能を有している。
【００３７】
低壁部３００は、室内側に間仕切りパネル５０を有し、その背面に断熱材フォーム６０が配設されてその全体が形成される。また、間仕切りパネル５０の下端は低床部２００の上に載置される。
【００３８】
低床部２００は、基盤Ｇにベース２１が固定手段７０にて固定されている複数の鋼製束材２０により床材１０が支持されるとともに、鋼製束材２０との間で隙間の無い状態で断熱材フォーム４０が敷設されることによりその全体が形成される。床材１０の構成は一般床部１００の床材１０と同様である。
【００３９】
鋼製束材２０と断熱材フォーム４０の構成は、図５に示すように軸材２２が断熱材フォーム４０を貫通する形態であってもよいし、図７に示すように軸材２２が隣接する断熱材フォーム４０の界面に配設される形態であってもよい。いずれの形態であっても、床束材２０と断熱材フォーム４０との間に隙間が無く、従って全体的に均質な断熱性能を有する低床部構造５００が形成される。また、断熱材フォーム４０の敷設が容易であり、効率的に敷設できることから、良好な施工性の下で低床部構造５００を形成することが可能となる。
【００４０】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００４１】
１０：床材、１１：床下地材、１２：捨貼、１３：フロア仕上げ材、２０：床束材（鋼製束材）、２１：ベース、２２：軸材、２３：螺子切り、２４：支持プレート、２５：固定ナット、３０：床束材、４０：断熱材フォーム、５０：間仕切りパネル、６０：断熱材フォーム、１００：一般床部、２００：低床部、３００：低壁部、５００：低床部構造、Ｋ：基盤
【図１】
2020051097.tif 000003
【図２】
2020051097.tif 000004
【図３】
2020051097.tif 000005
【図４】
2020051097.tif 000006
【図５】
2020051097.tif 000007
【図６】
2020051097.tif 000008
【図７】
2020051097.tif 000009
【図８】
2020051097.tif 000010